(57)【特許請求の範囲】
【請求項１】
身容器１と、該身容器１の上面に蓋１３を備えたものであって、
身容器１内の対向壁面２、２間の上部に中皿３を配置し、身容器１の対向壁面２、２間の内底部に着脱自在の仕切り壁４を、前記中皿３の対向壁面５、５間に着脱自在の仕切り壁４を設け、
前記中皿３の外側面は身容器１の上部内側面に収容される寸法とし、中皿上端に形成した外鍔を身容器の対向壁面の上端に支受させたものであり、
前記身容器１の仕切り壁４は、身容器１の内底部の対向壁面２、２に形成した壁面係止手段６、６に、仕切り壁４の端面に形成した仕切り壁係止手段７、７を係合させるとともに、前記中皿３の仕切り壁は、中皿の対向壁面５、５に形成した壁面係止手段８、８に仕切り壁の端面に形成した仕切り壁係止手段７、７を係合させるものとし、
身容器内底部の対向壁面２、２間の幅寸法Ｗ及び壁面の傾斜角度αと、中皿３の対向壁面間の幅寸法Ｗ及び壁面の傾斜角度αを略同一とし、身容器１の内底部の対向壁面２、２に形成する壁面係止手段６、６と中皿３の対向壁面５、５に形成する壁面係止手段８、８の形状、寸法を略同一とすることによって、共通の仕切り壁４を身容器の内底部と中皿３に着脱自在とすることを特徴とする中皿付収納容器。
【請求項２】
身容器の内底部の対向壁面２、２と、中皿３の対向壁面５、５を同じ傾斜角度で上方に向けて広がる傾斜面とし、身容器１の内底部の対向壁面及び中皿３の対向壁面に、一対のリブ９、９による上下方向に連続する係合溝10を形成し、該係合溝10の溝底面10aを傾斜面、内面9a、すなわちリブ９、９の内端面を垂直面とし、仕切り壁４主体部4aの左右の端面4bを垂直面で形成するとともに、仕切り壁の左右の端面4b、4bに前記係合溝10に嵌合する突出部11を形成したことを特徴とする請求項１記載の中皿付収納容器。
【請求項３】
身容器１の対向壁面２、２と中皿３の対向壁面５、５は同一の傾斜角度の傾斜面であって、身容器１の内底部の対向壁面２、２間寸法と中皿３の対向壁面寸法を等しく形成することを特徴とする請求項１又は２記載の中皿付収納容器。
【発明の詳細な説明】
【技術分野】
【０００１】
この発明は、主として工具類や小物などを収納するものであって、その内部を有効に活用するために中皿を備えた収納容器に関する発明である。より詳しくは、身容器の内部あるいは中皿の内部を仕切り壁で区画して使用する収納容器に関するものである。
【背景技術】
【０００２】
中皿を備えた収納容器には、用途、目的に応じて身容器内部あるいは中皿内部を仕切り壁によって区画して使用されることがある。仕切り壁付の収納容器では、仕切り壁が固定的に形成されたものや自由に仕切り位置を変更することができるものがある。
特許文献１には、容器本体の内部に一体的形成された仕切りや、仕切り板を着脱する構造が開示されている。中皿には、中皿の収納空間を区画するための仕切りを中皿に一体に形成する構造が開示されている。
【０００３】
特許文献１に開示された構造は、比較的小さな、厚みの薄い容器の内部を区分けして収納するような容器であって、中皿も容器本体内の上部全面に配置される薄いものである。
比較的大きな収納容器の内部を立体的に区画して使用するには、特許文献１に記載された平面的な区画では対応することができない。
【先行技術文献】
【特許文献】
【０００４】
【特許文献１】実用新案登録第３００６５５４号公報
【発明の概要】
【発明が解決しようとする課題】
【０００５】
比較的大きな身容器の内部に、ある程度大きな収納空間となるような中皿を配置する場合、身容器の内部を仕切り壁によって区画して、区画された収納空間を形成するとともに、中皿の内部を仕切り壁によって区画することによって中皿にも区画された収納空間を確保したい場合がある。この場合、身容器の内部を区画する仕切り壁と、身容器の内部に配置する中皿の仕切り壁とは、形状や寸法が異なるのが普通であるため、別々の形状や寸法の仕切り壁を別々に準備する必要がある。
それぞれ、寸法や形状の異なる身容器の内部を区画する仕切り壁と、中皿の内部を区画する仕切り壁を別々に準備する場合、それだけコストアップとなるとともに、いずれかの仕切り壁を使用しない場合、使用しない仕切り壁を別に保管しておかなければならない欠点がある。
【０００６】
上記、身容器の内部を区画する仕切り壁と、中皿の内部を区画する仕切り壁を準備する場合の欠点に鑑み、本発明は、身容器の内部を区画する仕切り壁と、中皿内部を区画する仕切り壁を共通とすることによって、なるべくコストダウンとなるようにすることを目的とするものである。
本発明の別の目的は、比較的大きな収納空間に、例えばある程度大きな収納物を、整列状態に収納する場合に、収納する物品を纏まりよく配置することが可能で、使い勝手の良い収納容器を実現することを目的とするものである。
【課題を解決するための手段】
【０００７】
請求項１記載の本発明に係る中皿付収納容器は、身容器１と、該身容器１の上面に蓋１３を備えたものであって、身容器１内の対向壁面２、２間の上部に中皿３を配置し、身容器１の対向壁面２、２間の内底部に着脱自在の仕切り壁４を設け、身容器１の内底部を仕切り壁４によって区画可能とする。同時に、前記中皿３の対向壁面５、５間に着脱自在の仕切り壁４を設けることによって中皿を複数の収納部に区画することができるようにする。
【０００８】
中皿３の外側面は身容器１の上部内側面に収容される寸法とし、中皿上端に形成した外鍔を身容器１の対向壁面２、２の上端に支受させたものであり、前記身容器１の仕切り壁４は、身容器１の内底部の対向壁面２、２に形成した壁面係止手段６、６に、仕切り壁４の端面に形成した仕切り壁係止手段７、７を係合させるとともに、前記中皿３の仕切り壁は、中皿の対向壁面５、５に形成した壁面係止手段８、８に仕切り壁の端面に形成した仕切り壁係止手段７、７を係合させるものとする。そして、身容器内底部の対向壁面２、２間の幅寸法Ｗ及び壁面の傾斜角度αと、中皿３の対向壁面間の幅寸法Ｗ及び壁面の傾斜角度αを略同一とし、身容器１の内底部の対向壁面２、２に形成する壁面係止手段６、６と中皿３の対向壁面５、５に形成する壁面係止手段８、８の形状、寸法を略同一とすることによって、共通の仕切り壁４を身容器の内底部と中皿３に着脱自在とする。
【０００９】
請求項２記載の発明は、身容器の内底部の対向壁面２、２と、中皿３の対向壁面５、５を同じ傾斜角度で上方に向けて広がる傾斜面とし、身容器１の内底部の対向壁面及び中皿３の対向壁面に、一対のリブ９、９による上下方向に連続する係合溝10を形成し、係合溝10の溝底面10aを傾斜面、内面9a、すなわちリブ９、９の内端面を垂直面とする。
一方、仕切り壁４は、主体部4aの左右の端面4bを垂直面で形成するとともに、仕切り壁の左右の端面4b、4bに前記係合溝10に嵌合する突出部11を形成することである。
【００１０】
請求項３記載の発明は、身容器１の対向壁面２、２と中皿３の対向壁面５、５は同一の傾斜角度の傾斜面であって、身容器１の内底部の対向壁面２、２間寸法と中皿３の対向壁面寸法を等しく形成することである。
【発明の効果】
【００１１】
請求項１記載の本発明中皿付収納容器によれば、比較的大きな身容器１の内部を仕切り壁４によって複数の収納部に区画する。このとき、仕切り壁によって区画するのは身容器１の内底部であるため、収納空間が狭くて深い、収納物の取り扱いにくい状態とはならない。これに対して、身容器に収納する物品と同程度の大きさの物品を収納することができる中皿を身容器の上部に配置することになる。これにより、同程度の大きさの物品を、収納容器全体に整然と収納することができる。これは、仕切り壁４を身容器１と中皿３で共通とすることによって、身容器の内底部に形成される空間と、中皿３の形成される空間が、共通の幅と深さを有することによって理解される。
【００１２】
さらに、本発明によれば、身容器の内底部を区画する仕切り壁と、中皿の内部を区画する仕切り壁４を共通とすることによって、二種類の仕切り壁を準備する場合に比較してコストダウンとなり、収納容器全体を比較的安価に製造することができる。
【００１３】
請求項２記載の発明によれば、身容器１の内底部及び中皿の内部を区画する仕切り壁４は、装着したときに垂直面である主体部4aの左右の端面4b、4bが、垂直面であるリブ９、９ブの内端面に当接して安定するとともに、仕切り壁４を最下段にまで押し込んだときに、傾斜面とした仕切り壁の突出部11が、同じく傾斜面とした係合溝10の溝底面10aに密接するため、仕切り壁が装着状態に安定する。
【００１４】
請求項３記載の発明によれば、身容器１の対向壁面２、２と中皿３の対向壁面５、５が同一の傾斜角度であるとともに同じ幅であるため、身容器１の内底部の一定範囲の収容空間形状と、中皿3の収容空間形状が同一となり、同じ物品を収納する場合に、いずれにも収納することが可能となる。また、中皿３の外鍔12を身容器１の対向壁面の上端に支受させることによって、中皿３の外壁面が身容器の内壁面に当接しない範囲で、中皿の下方に収納空間が形成され、中皿の外壁と身容器の外壁面の隙間は僅少で一定とすることができるため、中皿を装着することによるデッドスペースを少なくし、身容器の収納空間を有効に活用することができる効果がある。
【図面の簡単な説明】
【００１５】
【図１】図１は、本発明中皿付収納容器の実施形態を示す、開蓋状態の斜視図、
【図２】図２は、中皿を装着した身容器の平面図、
【図３】図３は、図２のIII‐III線断面図、
【図４】図４は、図２のIV‐IV線断面図、
【図５】図５は、図２のＶ−Ｖ線断面図、
【図６】図６は、一部を拡大して示す、身容器のみの斜視図、
【図７】図７は、一部を拡大して示す、中皿ののみの斜視図、
【図８】図８は、一部を拡大して示す、仕切り壁のみの正面図と平面図、
【図９】図９は、物品の収納状態の一例を示す断面図、
【図１０】図１０は、物品の収納状態の別の一例を示す断面図である。
【発明を実施するための形態】
【００１６】
以下、本発明に係る中皿付収納容器の、好ましい実施形態を添付の図面に基づいて説明する。
図１は、本発明中皿付収納容器の実施形態を示す、開蓋状態の斜視図、図２は、中皿を装着した身容器の平面図である。
【００１７】
図１に示す実施形態の中皿付収納容器は、その内部に複数の小物入れなどを収納することができるような比較的大きなものであって、身容器１の上面に左右両開きの蓋13を備えている。身容器１内の対向壁面２、２間の上部には中皿３を配置し、身容器１の対向壁面２、２間の内底部に着脱自在の仕切り壁４を設けている。また、前記中皿３の対向壁面５、５間にも着脱自在の仕切り壁４を設けている。
【００１８】
身容器１の仕切り壁４は、身容器１の内底部の対向壁面２、２に形成した壁面係止手段６、６に、仕切り壁４の端面に形成した仕切り壁係止手段７、７を係合させる。一方、中皿３の仕切り壁は、中皿の対向壁面５、５に形成した壁面係止手段８、８に仕切り壁の端面に形成した仕切り壁係止手段７、７を係合させる。このとき、図３、図４に示すように身容器内底部の対向壁面２、２間の幅寸法Ｗ及び壁面の傾斜角度αと、中皿３の対向壁面間の幅寸法Ｗ及び壁面の傾斜角度αを略同一とし、身容器１の内底部の対向壁面２、２に形成する壁面係止手段６、６と中皿３の対向壁面５、５に形成する壁面係止手段８、８の形状、寸法を略同一とすることによって、共通の仕切り壁４を身容器１の内底部と中皿３に着脱自在とする。
【００１９】
図示実施形態において、身容器１の壁面係止手段６と中皿３の壁面係止手段８は同じ形状構造としている。具体的には、図３、図４に示すように身容器１の対向壁面２、２と、中皿３の対向壁面５、５を同じ傾斜角度αで上方に向けて広がる傾斜面としている。そして、図６、図７に示すように、身容器１の内底部の対向壁面及び中皿３の対向壁面に、一対のリブ９、９による上下方向に連続する係合溝10を形成するとともに、図８に示すように、仕切り壁４の主体部4aの左右の端面4b、4bに、リブ９、９の間の係合溝10に係合する突出部11を形成し、着脱自在に装着することができるようにしている。
【００２０】
図示実施形態においては、係合溝10の溝底面10aを傾斜面、内面9a、すなわちリブ９、９の内端面を垂直面としている。そして、仕切り壁４主体部4aの左右の端面4bを垂直面で形成するとともに、図８から理解されるように、係合溝10に係合する突出部11の先端面11cを傾斜面としている。これにより、仕切り壁４を装着したときに、主体部4aの端面4bがリブ９、９の内面9aに密接し、突出部11の先端面11cが溝底面10aに密接して安定することになる。
【００２１】
さらに、図示実施形態では、リブ９、９に挟まれた係合溝10は、その上半部をアリ溝10bとし、下半部を一定幅のストレート溝としている。一方、仕切り壁の左右の両端面4b、4bに形成する突出部11は、その上半部を前記係合溝10のアリ溝10bに係合するアリ11aとし、下半部を一定幅突起11bとしている。これにより、仕切り壁４は、身容器１の壁面係止手段６、あるいは中皿３の壁面係止手段８に、ガタつくようなことなく強固に装着されることになる。
【００２２】
身容器１の対向壁面２、２と中皿３の対向壁面５、５は同一の傾斜角度の傾斜面であって、身容器１の内底部の対向壁面２、２間寸法と中皿３の対向壁面寸法を等しく形成している。中皿３の外側面は、身容器１の上部内側面に収容される寸法とし、中皿上端に形成した外鍔12を身容器の対向壁面の上端に支受させている。
【００２３】
すなわち、傾斜面である身容器１の対向壁面２,２は、内底部において中皿３の内底部の寸法と同一であるが、身容器１の対向壁面２、２の上部の内接寸法は、中皿３対向壁面の外接寸法よりも、少なくとも大きなものとなる。この場合、身容器の対向壁面と中皿の対向壁面の傾斜角度が同一であるため、身容器と中皿の隙間は一定となる。この隙間は、対向壁面の傾斜角度と、中皿の肉厚に関連し、僅少な隙間として実施することができる。また、中皿を身容器に装着するには、中皿上端に形成した外鍔12を身容器の対向壁面の上端に支受させることによって安定的に装着することができる。
【００２４】
本発明に係る中皿付収納容器では、仕切り壁４によって区画する身容器１の内部の空間は、身容器１の内底部の範囲に限定され、身容器内の上部空間は仕切り壁によって区画されるわけではないため、仕切り壁の無い空間として物品の収容に利用する。その一つの態様として、中皿を配置し、中皿を使用した収納空間として利用する。このときに、本発明では中皿３そのものを仕切り壁４によって区画し、多様な収納形態を可能とするものである。
【００２５】
図示実施形態の収納容器について、収納形態の一例を説明する。本発明者らは、本発明中皿付収納容器に、複数の小物入れを収容して使用する、あるいは運搬に供する場合を想定する。図５に示す使用形態では、仕切り壁４で区画した左右の身容器１内の左右の空間に、それぞれ２個の小物入れＡ、Ａを収容し、小物入れＡの妄動を防止する。中皿３には別途小さな物品を収納することができるようにしている。この場合、中皿３の幅は、身容器１の内底部の幅と同一であるため、小物入れに関連する物品をまとめて収納することが可能である。なお、中皿３の仕切り壁４を省略して使用することもできる。
【００２６】
図９に示す使用形態は、図５の場合と同様に身容器１の内底部と中皿３の両方に仕切り壁４を装着している。身容器１内には、仕切り壁によって区画された空間において、小物入れＡを横位置で立て掛けて配置している。この場合、身容器の仕切り壁４は、小物入れの転倒を防止するように機能している。身容器１内に、小物入れを立て掛けて配置することによって図５の場合よりも多くの小物入れを収納することができる。
【００２７】
図10は、身容器１にのみ仕切り壁４を装着し、中皿３の仕切り壁を省略した使用形態を示している。この使用形態では、仕切り壁４で区画し、中皿３の存在しない一方の収納空間に、小物入れＡを縦位置に立て掛けて幅方向に整列させるとともに、中皿３の下の空間には小物入れＡを横位置で立て掛けて、長手方向に整列させている。この使用形態では、最も多くの小物入れを収納することができた。
【００２８】
身容器１に設ける仕切り壁及び中皿３に設ける仕切り壁４は、必ずしも使用する必要はなく、必要に応じて適宜使用すればよい。この場合、身容器の仕切り壁と中皿の仕切り壁が共通であるため、身容器用の仕切り壁と中皿用の仕切り壁を準備する必要がなく、例えば一つの仕切り壁を必要に応じて、身容器と中皿に使い分けることができる。
【符号の説明】
【００２９】
１…身容器、  ２…対向壁面、  ３…中皿、  ４…仕切り壁、  4a…主体部、  4b…端面、  ５…対向壁面、  ６…壁面係止手段、  ７…仕切り壁係止手段、  ８…壁面係止手段、  ９…リブ、  9a…内面、  10…係合溝、  10a…溝底面、  10b…アリ溝、  11…突出部、  11a…アリ、  11b…一定幅突起、  11c…先端面、  12…外鍔、  13…蓋、  Ａ…小物入れ。
【図１】
0006416069.tif 000002
【図２】
0006416069.tif 000003
【図３】
0006416069.tif 000004
【図４】
0006416069.tif 000005
【図５】
0006416069.tif 000006
【図６】
0006416069.tif 000007
【図７】
0006416069.tif 000008
【図８】
0006416069.tif 000009
【図９】
0006416069.tif 000010
【図１０】
0006416069.tif 000011